(57)【要約】【課題】  文章に基づいて機能を実行する際に、当該文章から機能への入力とする情報を適切に抽出してより適切に機能を実行させる。【解決手段】  機能実行指示システム１の機能実行指示サーバ１０は、予めカテゴリが対応付いた情報を入力して実行される１つ以上のタスクの実行を指示する機能実行指示部１１と、文章を入力する文章入力部１２と、入力された文章に基づいて、１つ以上のタスクから実行が指示されるタスクを決定する実行機能決定部１３と、決定されたタスクに入力される情報のカテゴリに応じた方法で、入力された文章から、当該タスクに入力する情報を抽出する抽出部１４とを備える。【選択図】  図１
2014102280.tif 000002
【特許請求の範囲】
【請求項１】
予めカテゴリが対応付いた情報を入力して実行される１つ以上の機能の実行を指示する機能実行指示手段と、
文章を入力する文章入力手段と、
前記文章入力手段によって入力された文章に基づいて、前記１つ以上の機能から前記機能実行指示手段によって実行が指示される機能を決定する実行機能決定手段と、
前記実行機能決定手段によって決定された機能に入力される情報のカテゴリに応じた方法で、前記文章入力手段によって入力された文章から、当該機能に入力する情報を抽出する抽出手段と、
を備える機能実行指示システム。
【請求項２】
前記抽出手段は、前記カテゴリに応じ、予め記憶した、入力される情報の候補の辞書に基づいて情報を抽出する方法と、機械学習技術又は予め記憶した文法ルールに基づいて前記文章内の特定の区間を検出することにより情報を抽出する方法とを切り替えて、あるいは組み合わせて用いることにより、前記情報を抽出する請求項１に記載の機能実行指示システム。
【請求項３】
前記抽出手段は、前記実行機能決定手段によって決定された機能に入力される情報のカテゴリが任意の情報であるものを含むか否かを判断して、当該判断に応じた前記方法で前記情報を抽出する請求項１又は２に記載の機能実行指示システム。
【請求項４】
前記抽出手段は、前記実行機能決定手段によって決定された機能に入力される情報のカテゴリが任意の情報であるものを含むと判断した場合、任意の情報であるカテゴリについては機械学習技術又は予め記憶した文法ルールに基づいて前記文章内の特定の区間を検出することにより情報を抽出して、任意の情報でないカテゴリについては任意の情報であるカテゴリの情報が抽出された後の残りの文章から、予め記憶した、入力される情報の候補の辞書に基づいて情報を抽出する請求項３に記載の機能実行指示システム。
【請求項５】
前記抽出手段は、前記実行機能決定手段によって決定された機能に入力される情報のカテゴリが任意の情報であるものを含まないと判断した場合、予め記憶した、入力される情報の候補の辞書に基づいて情報を抽出し、当該辞書に基づいて情報の抽出ができなかった場合に機械学習技術又は予め記憶した文法ルールに基づいて前記文章内の特定の区間を検出することにより情報を抽出する請求項３又は４に記載の機能実行指示システム。
【請求項６】
前記抽出手段は、前記実行機能決定手段によって決定された機能に入力される情報に対応付けられた複数のカテゴリに関する順序を示す情報を取得し、当該順序での情報の抽出を行う請求項５に記載の機能実行指示システム。
【請求項７】
音声を入力して、入力した音声に対して音声認識を行って、音声認識を行った結果を前記文章入力手段に入力する音声認識手段を更に備える請求項１〜６の何れか一項に記載の機能実行指示システム。
【請求項８】
予めカテゴリが対応付いた情報を入力して実行される１つ以上の機能の実行を指示する機能実行指示ステップと、
文章を入力する文章入力ステップと、
前記文章入力ステップにおいて入力された文章に基づいて、前記１つ以上の機能から前記機能実行指示ステップにおいて実行が指示される機能を決定する実行機能決定ステップと、
前記実行機能決定ステップにおいて決定された機能に入力される情報のカテゴリに応じた方法で、前記文章入力ステップにおいて入力された文章から、当該機能に入力する情報を抽出する抽出ステップと、
を含む機能実行指示方法。
【請求項９】
コンピュータを、
予めカテゴリが対応付いた情報を入力して実行される１つ以上の機能の実行を指示する機能実行指示手段と、
文章を入力する文章入力手段と、
前記文章入力手段によって入力された文章に基づいて、前記１つ以上の機能から前記機能実行指示手段によって実行が指示される機能を決定する実行機能決定手段と、
前記実行機能決定手段によって決定された機能に入力される情報のカテゴリに応じた方法で、前記文章入力手段によって入力された文章から、当該機能に入力する情報を抽出する抽出手段と、
して機能させる機能実行指示プログラム。
【発明の詳細な説明】
【技術分野】
【０００１】
本発明は、１つ以上の機能の実行を指示することができる機能実行指示システム、機能実行指示方法及び機能実行指示プログラムに関する。
【背景技術】
【０００２】
従来から、ユーザの音声を認識して、認識した音声に基づいて機能を実行するシステムが知られている。例えば特許文献１には、カーナビゲーション装置において認識した音声に基づいて、登録地を目的地として設定したり、登録地の地図を見たりといった機能が実行されることが記載されている。
【先行技術文献】
【特許文献】
【０００３】
【特許文献１】特開２００６−２３４４４号公報
【発明の概要】
【発明が解決しようとする課題】
【０００４】
認識された音声に基づく機能の実行の際に、認識された音声から機能への入力とする情報を抽出することができる。例えば、認識された音声に基づいてメール作成の機能を実行する場合、認識された音声からメール本文や宛先の情報を抽出してメール作成の機能への入力を行うことができる。認識された音声である文章（自然文）から実行される機能への入力となる情報（例えば、上記のメール本文や宛先の情報）の抽出には、例えば、辞書を利用した方法、あるいは機械学習技術（例えば、ＣＲＦ：Conditional Random Field）又は人手で定義された文法ルールを利用した区間検出（チャンキング）といった辞書に依存しない方法がある。
【０００５】
しかしながら、何れかの方法だけでは機能への入力となる情報を適切に抽出しえない場合がある。例えば、実行される機能がメール作成であり、認識された音声である文章にメール本文となりえる部分が含まれていた場合を考える。具体的には、認識された音声である文章が「田中さんに今日はありがとうとメール」というものであった場合、「今日はありがとう」という部分がメール本文となる部分である。上記のようにメール本文となる部分は通常、任意の文字列が含まれうるため、辞書に含まれないものである。従って、メール本文となる部分は、辞書を利用した方法で抽出することは難しい。一方でメールの宛先となる部分、例えば上記の例では「田中」という部分は、機械学習技術又は人手で定義された文法ルールを利用した区間検出といった辞書に依存しない方法よりもユーザ毎にカスタマイズされた人名辞書で抽出することが望ましい。
【０００６】
また、レシピ検索の機能を実行する際の入力については、機械学習技術又は人手で定義された文法ルールを利用した区間検出といった辞書に依存しない方法よりも、料理名の辞書を用いて情報を抽出することが望ましい。
【０００７】
本発明は、上記の問題点に鑑みてなされたものであり、文章に基づいて機能を実行する際に、当該文章から機能への入力とする情報を適切に抽出してより適切に機能を実行させることができる機能実行指示システム、機能実行指示方法及び機能実行指示プログラムを提供することを目的とする。
【課題を解決するための手段】
【０００８】
上記の目的を達成するために、本発明に係る機能実行指示システムは、予めカテゴリが対応付いた情報を入力して実行される１つ以上の機能の実行を指示する機能実行指示手段と、文章を入力する文章入力手段と、文章入力手段によって入力された文章に基づいて、１つ以上の機能から機能実行指示手段によって実行が指示される機能を決定する実行機能決定手段と、実行機能決定手段によって決定された機能に入力される情報のカテゴリに応じた方法で、文章入力手段によって入力された文章から、当該機能に入力する情報を抽出する抽出手段と、を備える。
【０００９】
本発明に係る機能実行指示システムでは、実行が指示される機能に入力される情報のカテゴリに応じた方法で当該情報が文章から抽出される。従って、本発明に係る機能実行指示システムによれば文章に基づいて機能を実行する際に、当該文章から機能への入力とする情報を適切に抽出してより適切に機能を実行させることができる。
【００１０】
抽出手段は、カテゴリに応じ、予め記憶した、入力される情報の候補の辞書に基づいて情報を抽出する方法と、機械学習技術又は予め記憶した文法ルールに基づいて文章内の特定の区間を検出することにより情報を抽出する方法とを切り替えて、あるいは組み合わせて用いることにより、情報を抽出することとしてもよい。この構成によれば、適切な方法により情報を抽出することができる。
【００１１】
抽出手段は、実行機能決定手段によって決定された機能に入力される情報のカテゴリが任意の情報であるものを含むか否かを判断して、当該判断に応じた方法で情報を抽出することとしてもよい。この構成によれば、機能に入力される情報のカテゴリに例えば、メール本文のような任意の情報を含むか否かに応じて適切に情報を抽出することができる。
【００１２】
抽出手段は、実行機能決定手段によって決定された機能に入力される情報のカテゴリが任意の情報であるものを含むと判断した場合、任意の情報であるカテゴリについては機械学習技術又は予め記憶した文法ルールに基づいて文章内の特定の区間を検出することにより情報を抽出して、任意の情報でないカテゴリについては任意の情報であるカテゴリの情報が抽出された後の残りの文章から、予め記憶した、入力される情報の候補の辞書に基づいて情報を抽出することとしてもよい。この構成によれば、機能に入力される情報のカテゴリが任意の情報であるものを含む場合にカテゴリに応じて適切に情報を抽出することができる。
【００１３】
抽出手段は、実行機能決定手段によって決定された機能に入力される情報のカテゴリが任意の情報であるものを含まないと判断した場合、予め記憶した、入力される情報の候補の辞書に基づいて情報を抽出し、当該辞書に基づいて情報の抽出ができなかった場合に機械学習技術又は予め記憶した文法ルールに基づいて文章内の特定の区間を検出することにより情報を抽出することとしてもよい。この構成によれば、機能に入力される情報のカテゴリが任意の情報であるものを含まない場合にカテゴリに応じて適切に情報を抽出することができる。
【００１４】
抽出手段は、実行機能決定手段によって決定された機能に入力される情報に対応付けられた複数のカテゴリに関する順序を示す情報を取得し、当該順序での情報の抽出を行うこととしてもよい。この構成によれば、機能に対して複数のカテゴリの情報の入力が可能である場合に適切に情報を抽出することができる。
【００１５】
機能実行指示システムは、音声を入力して、入力した音声に対して音声認識を行って、音声認識を行った結果を文章入力手段に入力する音声認識手段を更に備えることとしてもよい。この構成によれば、ユーザの音声によって機能を実行することが可能となる。
【００１６】
ところで、本発明は、上記のように機能実行指示システムの発明として記述できる他に、以下のように機能実行指示方法及び機能実行指示プログラムの発明としても記述することができる。これはカテゴリ等が異なるだけで、実質的に同一の発明であり、同様の作用及び効果を奏する。
【００１７】
即ち、本発明に係る機能実行指示方法は、予めカテゴリが対応付いた情報を入力して実行される１つ以上の機能の実行を指示する機能実行指示ステップと、文章を入力する文章入力ステップと、文章入力ステップにおいて入力された文章に基づいて、１つ以上の機能から機能実行指示ステップにおいて実行が指示される機能を決定する実行機能決定ステップと、実行機能決定ステップにおいて決定された機能に入力される情報のカテゴリに応じた方法で、文章入力ステップにおいて入力された文章から、当該機能に入力する情報を抽出する抽出ステップと、を含む。
【００１８】
また、本発明に係る機能実行指示プログラムは、コンピュータを、予めカテゴリが対応付いた情報を入力して実行される１つ以上の機能の実行を指示する機能実行指示手段と、文章を入力する文章入力手段と、文章入力手段によって入力された文章に基づいて、１つ以上の機能から機能実行指示手段によって実行が指示される機能を決定する実行機能決定手段と、実行機能決定手段によって決定された機能に入力される情報のカテゴリに応じた方法で、文章入力手段によって入力された文章から、当該機能に入力する情報を抽出する抽出手段と、して機能させる。
【発明の効果】
【００１９】
本発明では、実行が指示される機能に入力される情報のカテゴリに応じた方法で当該情報が文章から抽出される。従って、本発明によれば文章に基づいて機能を実行する際に、当該文章から機能への入力とする情報を適切に抽出してより適切に機能を実行させることができる。
【図面の簡単な説明】
【００２０】
【図１】本発明の実施形態に係る機能実行指示システムの構成を示す図である。
【図２】機能実行指示システムにおいて実行されるタスクとスロットとの対応関係を示す図である。
【図３】本発明の実施形態に係る機能実行指示システムを構成する機能実行指示サーバ及び音声認識サーバのハードウェア構成を示す図である。
【図４】本発明の実施形態に係る機能実行指示システムで実行される処理（機能実行指示方法）を示すフローチャートである。
【図５】本発明の実施形態に係る機能実行指示プログラムの構成を、記録媒体と共に示す図である。
【発明を実施するための形態】
【００２１】
以下、図面と共に本発明に係る機能実行指示システム、機能実行指示方法及び機能実行指示プログラムの実施形態について詳細に説明する。なお、図面の説明においては同一要素には同一符号を付し、重複する説明を省略する。
【００２２】
図１に本実施形態に係る機能実行指示システム１を示す。機能実行指示システム１は、機能実行指示サーバ１０と音声認識サーバ２０とを備えて構成される。機能実行指示システム１は、通信端末３０に対して予め設定された１つ以上の機能の実行を指示するシステムである。機能実行指示システム１から通信端末３０に対して実行が指示される機能は、例えば、レシピ検索、乗換案内、グルメ検索（飲食店検索）、画像検索、音楽検索、音楽プレーヤ、スケジューラ、メール作成、メモ、ルート案内、地図検索、電話、カメラが相当する。なお、本実施形態では、実行される機能をタスクと呼ぶ。具体的には、レシピ検索、乗換案内、グルメ検索、画像検索、音楽検索、地図検索等に関しては、例えば、通信端末３０において案内や検索結果の情報の要求が行われて、取得された当該案内や検索結果の情報が表示出力される。
【００２３】
また、メール作成、音楽プレーヤ、スケジューラ、電話、カメラ等に関しては、通信端末３０においてそれらのタスクを実行するためのアプリケーションプログラムが起動される。更に指示の内容によっては、アプリケーションプログラム起動後の動作も行われる。例えば、メール作成のタスクでは、メール本文や宛先への情報の入力が行われる。
【００２４】
通信端末３０は、通信網（例えば、移動体通信網）を介して機能実行指示サーバ１０及び音声認識サーバ２０等と通信を行うことができる装置であり、例えば、携帯電話機やＰＣ（Personal Computer）に相当する。上記のタスクは、ユーザの音声をトリガとして実行されるため、通信端末３０はユーザの音声を入力する機能を有している。また、通信端末３０は、機能実行指示システム１からの指示を受けてタスクを実行する機能、例えば、情報の受信機能、情報処理機能及び表示機能等を有している。
【００２５】
即ち、通信端末３０は、１つ以上の（あるいは複数の）タスクを実行する機能実行手段を有している。具体的には、通信端末３０は、タスクに対応するアプリケーションプログラムを予め記憶しておき、記憶したアプリケーションプログラムを実行（起動）することによってタスクを実行する。通信端末３０によって実行されるタスクは、後述するように機能実行指示サーバ１０によって指示される。また、タスクの実行は、アプリケーションプログラムを実行する以外にも、ネットワークからタスクに応じた情報を取得することで行われてもよい。
【００２６】
機能実行指示システム１による通信端末３０に対するタスクの実行の指示は、次のように行われる。まず、通信端末３０がユーザの音声を入力する。入力された音声は、通信端末３０から音声認識サーバ２０に送信される。音声認識サーバ２０は、通信端末３０から音声を受信し、受信した音声に対して音声認識を行う。音声認識サーバ２０は、音声認識の結果である文章（自然文）を通信端末３０に送信する。通信端末３０は、音声認識の結果を受信して、更に機能実行指示サーバ１０に送信する。機能実行指示サーバ１０は、当該音声認識の結果を受信して、その音声認識の結果に基づいて実行すべきタスクを決定して、当該タスクを実行するように通信端末３０に指示する。例えば、機能実行指示サーバ１０は、実行すべきタスクを示す情報を通信端末３０に送信する。通信端末３０は、機能実行指示サーバ１０からの指示を受信して、当該指示に応じたタスクを実行する。なお、音声認識の結果である文章はいったん通信端末３０に送られることなく、音声認識サーバ２０から機能実行指示サーバ１０へ直接送信されてもよい。更に、機能実行指示サーバ１０と音声認識サーバ２０は一体であってもよい。
【００２７】
例えば、通信端末３０のユーザが「田中さんに今日はありがとうとメール」と発話した場合には、機能実行指示サーバ１０において、田中宛に「今日はありがとう」との文面のメールを作成するタスクが実行されるものと判断されて、メール作成のタスクの実行が通信端末３０に指示される。以上が、本実施形態に係る機能実行指示システム１の概要である。
【００２８】
引き続いて、本実施形態に係る機能実行指示システム１の機能について説明する。音声認識サーバ２０は、音声を入力して、入力した音声に対して音声認識を行い、音声認識を行った結果を出力する音声認識手段である装置である。具体的には、上述したように音声認識サーバ２０は、通信端末３０から音声データを受信する。音声認識サーバ２０は、音声認識エンジンを有しており、当該音声認識エンジンを用いて音声認識を行う。音声認識自体は、従来の任意の音声認識方法を利用することができる。音声認識サーバ２０は、音声認識結果を文章として取得して、通信端末３０に送信する。なお、この文章は複数の単語あるいは文字が連続的に繋がった構成の情報であってもよい。
【００２９】
図１に示すように、機能実行指示サーバ１０は、機能実行指示部１１と、文章入力部１２と、実行機能決定部１３と、抽出部１４とを備えて構成される。
【００３０】
機能実行指示部１１は、通信端末３０に対して、１つあるいは複数のタスクの実行を指示する機能実行指示手段である。具体的には、機能実行指示部１１は、タスクを実行させるコマンドを通信端末３０に送信することでタスクの実行を指示する。機能実行指示部１１によって実行が指示されるタスクは、後述するように実行機能決定部１３によって決定される。
【００３１】
また、実行が指示されるタスクには、情報を入力（引数）とすることができるものがある。これをタスクのスロットと呼ぶ。スロットはタスク毎に予め定められている。例えば、図２に示すようにメール作成のタスクであれば、宛名及び本文をスロットへの入力としてタスクが実行される。あるいは、レシピ検索のタスクであれば、料理名や調理方法等のキーワードをスロットへの入力として、入力されたキーワードに関してレシピが検索される。なお、タスクには０個以上のスロットが定義されている。即ち、スロットがないタスクもある。スロットがないタスクの場合、後述するようなスロットに入力する情報の抽出は行われない。
【００３２】
スロットは、スロット毎に予め設定されたカテゴリに対応付けられている。カテゴリは、例えば、入力される情報を属性毎に区分けするものであり、スロットに受け入れることができる情報の型を示している。例えば、カテゴリは、「人名」、「テキスト」、「料理名」及び「料理方法」である。上記のカテゴリのうち「人名」、「料理名」及び「料理方法」のカテゴリのスロットは、それぞれ「人名」、「料理名」及び「料理方法」に相当する単語のみを入力することができる。即ち、これらのカテゴリのスロットは、特定の単語、あるいは特定の表現の情報のみを入力することができる。また、上記のカテゴリのうち、「テキスト」カテゴリのスロットは、テキストを入力することができる。即ち、「テキスト」カテゴリのスロットは、属性に限定されない任意の情報（文章）を入力することができるスロットである。
【００３３】
例えば、メール作成の宛名のスロットであれば、「人名」のカテゴリに対応付けられており、本文のスロットであれば、「テキスト」のカテゴリに対応付けられている。また、レシピ検索のキーワードのスロットであれば、「料理名」及び「調理方法」の２つのカテゴリに対応付けられている。このように１つのスロットに対して複数のスロットが対応付けられていてもよい。なお、１つのスロットに複数のカテゴリが対応付けられている場合には、それらのカテゴリ毎に順序（優先度）を示す情報が対応付けられている。この順序についてはより詳細には後述する。
【００３４】
これらの対応付けは、例えば、予め機能実行指示システム１の管理者等によって機能実行指示サーバ１０に入力されて記憶されている。これらの対応付けは、後述するように文章からスロットに入力される情報の抽出の処理に用いられる。具体的にどのように用いられるかは後述する。
【００３５】
図２に示すように、スロットには、それぞれ「スロット型」、「サイズ」の情報が対応付けられている。「スロット型」は、スロットに入力されるカテゴリを特定する情報であり、例えばカテゴリＩＤの情報を示している（保持している）。「サイズ」は、スロットに入力される情報（単語）の数を示している。
【００３６】
文章入力部１２は、文章を入力する文章入力手段である。具体的には、文章入力部１２は、通信端末３０から、音声認識サーバ２０による音声認識の結果である文章を示す情報（入力文、テキストデータ）を受信することで上記の情報を入力する。文章入力部１２に入力される文章は、通信端末３０に対するユーザの発話単位である。即ち、一回の発話に含まれる文章（文章群）を一つの単位として扱う。文章入力部１２は、入力した文章を示す情報を実行機能決定部１３及び抽出部１４に入力する。
【００３７】
実行機能決定部１３は、文章入力部１２から入力された文章に基づいて、上記の１つあるいは複数のタスクから機能実行指示部１１によって実行が指示されるタスクを決定する実行機能決定手段である。例えば、実行機能決定部１３は、機械学習によって得られた学習モデル（判定ルール）を用いてタスクを決定（判定）することとしてもよい。タスクの決定は、文章をどのタスクに分類するかという文書分類問題に帰着される。そこで、例えば、予めタスクに対応付いた発話事例を収集する。例えば、カメラを起動するタスクの発話例としては、「カメラ起動」「写真撮影」「ビデオを撮りたい」といった発話事例を収集する。同様に、飲食店検索、ショッピング検索等のタスクについてもタスクに応じた発話事例を収集する。
【００３８】
この発話事例を正解データ（サンプルデータ）として機械学習を行い、機械学習によって得られた学習モデルを用いてタスクを決定する。実行機能決定部１３は、文章入力部１２から入力された文章、例えば「来週の水曜日に会議の予定を登録」といった文章を学習モデルに基づくタスク識別器に入力して、当該タスク識別器によってタスクを決定する。例えば上記の発話例では、スケジュールのタスクが実行されるタスクとして決定される。なお、実行機能決定部１３は、機械学習によって得られた学習モデルに基づくタスク識別器を利用できればよく、必ずしも機能実行指示サーバ１０において機械学習が行われる必要はない。その場合、機能実行指示サーバ１０は上記の機械学習を行った装置から、学習モデルを示す情報を予め取得しておく。
【００３９】
なお、上記の機械学習及び学習モデルに基づくタスクの決定は、より具体的には以下のように行われてもよい。まず、入力された文章に対して形態素解析を行って文章から単語（形態素）を取得する。続いて、単語の抽象化を行う。具体的には、実行機能決定部１３は、予め単語とカテゴリとを対応付けた情報であるカテゴリ辞書に基づいて単語にカテゴリを示すカテゴリ情報を付与する。用いる辞書は、１００万語レベルのものを用いるのがよい。機械学習によって、単語はカテゴリ情報に応じてクラスタリングされてもよい。上記の単語、文章のｕｎｉ−ｇｒａｍ、ｂｉ−ｇｒａｍ及びｔｒｉ−ｇｒａｍ、単語に付与されたカテゴリ情報（あるいはこれらの組み合わせ）から、文章の特徴量を生成（あるいは選択）する。上記の機械学習及び学習モデルに基づくタスクの決定は、この特徴量に基づいて行われてもよい。
【００４０】
また、実行機能決定部１３は、上記の機械学習による方法以外にも予めタスク毎に単語、あるいはカテゴリにスコアを設定しておき、文章に含まれる単語、あるいは当該単語に対応付けられたカテゴリから、スコアを特定し、そのスコアに基づいてタスクを決定してもよい。例えば、合計のスコアが最も高いタスクを、実行が指示されるタスクに決定することとしてもよい。この場合の単語又はカテゴリのスコアは、タスクとの関連度合に応じて定められている。
【００４１】
また、実行機能決定部１３による実行が指示されるタスクの決定は、入力された文章に基づくものであればよく上記以外の任意の方法を用いることができる。実行機能決定部１３は、決定したタスクを抽出部１４に通知する。
【００４２】
後述するように抽出部１４から決定したタスクのスロットに入力する情報が入力されると、実行機能決定部１３は、機能実行指示部１１に対して、決定したタスクを通知する。また、実行機能決定部１３は、この通知の際に、抽出部１４から入力された情報を実行が指示されるタスクのスロットへの入力となる情報として合わせて通知する。
【００４３】
この通知がされると、機能実行指示部１１から通信端末３０に対してタスクの実行が指示される。この際、抽出部１４から入力された情報が、実行が指示されるスロットへの入力として機能実行指示部１１から通信端末３０に対して合わせて指示される。
【００４４】
抽出部１４は、文章入力部１２から入力された文章から、実行機能決定部１３から通知されたタスクのスロットに入力する情報を抽出する抽出手段である。例えば、抽出部１４は、メール作成のタスクの実行が指示されるものと決定された「田中さんに今日はありがとうとメール」という文章（発話内容）から、宛名のスロットに入力される情報として「田中」を抽出し、本文のスロットに入力される情報として「今日はありがとう」を抽出する。
【００４５】
抽出部１４は、実行機能決定部１３から通知されたタスクのスロットのカテゴリに応じた方法で、当該タスクに入力する情報を抽出する。ここで抽出部１４がタスクに入力する情報を抽出する方法としては、大きく分けて以下の２つを用いる。
【００４６】
一つは、入力される情報の候補の辞書に基づく方法である。これは、抽出部１４が予め入力される情報の候補の辞書の情報を保持しておき、文章入力部１２から入力された文章に当該候補が含まれるか否かを判断し、当該候補が含まれていた場合には当該候補をタスクに入力する情報として抽出するというものである。辞書に含まれる情報の候補は、例えば、単語である。但し、単語以外の文節や文章、あるいは記号等の任意の情報であってもよい。また、辞書はカテゴリ毎に用意しておき、カテゴリに応じた辞書（属性辞書）を情報の抽出を用いることとするのがよい。例えば、「人名」、「料理名」及び「調理方法」毎の辞書が用意しておき、「人名」のカテゴリのスロットの情報を抽出する場合は「人名」の辞書を用いることとするのがよい。「人名」カテゴリの辞書には、例えば、「佐藤」、「鈴木」、「田中」といった単語が候補として含まれる。
【００４７】
これらの辞書の情報は、例えば、予め機能実行指示システム１の管理者等によって機能実行指示サーバ１０に入力されて記憶されている。あるいは、例えば「人名」の候補については、ユーザ毎に情報が異なると考えられることから、通信端末３０が記憶している電話帳データを取得して電話帳データに含まれる人名のデータを利用することとしてもよい。
【００４８】
辞書に基づく抽出方法は、辞書に適切に情報の候補が含まれている場合には、確実かつ適切にタスクに入力される情報を抽出することができる。しかしながら、例えば、辞書に十分に情報が登録されておらず、辞書の語彙が不足している場合には十分な抽出をおこなうことができない。また、１つの情報が複数の属性辞書に含まれていた場合（属性辞書間の重複、単語の多義性）、その影響を受ける。また、この方法は、そもそも辞書の語彙外の情報については抽出を行うことができない。
【００４９】
タスクに入力する情報を抽出する方法のもう一つは、機械学習技術又は予め記憶した文法ルールに基づいて、文章入力部１２から入力された文章内の特定の区間を検出する方法である。この区間検出による方法は、上述したように辞書に依存しない方法である。抽出部１４は、検出した区間の情報（文字列）を、タスクに入力する情報として抽出する。
【００５０】
上記の文法ルールは、例えば、予め人手（例えば、機能実行指示システム１の管理者等）で定義され、抽出部１４に入力され記憶されている。文法ルールに基づく区間抽出とは、文章（発話内容）を形態素解析した結果得られる単語又はその品詞を示す情報の組み合わせを利用した決められたルールに基づいて情報として抽出する区間を決定する方法である。例えば、特定の単語又は特定の品詞の単語の前又は後に現れる単語、又は単語群を情報として抽出するという方法をとることができる。一例として、メール作成のタスクにおいて本文のスロットに入力される情報を抽出するため、「と」という助詞より前に現れる単語群全体を本文として抽出することができる。この方法により、例えば「今日はありがとうとメール」という文章（発話内容）から「今日はありがとう」を本文のスロットに入力される情報として抽出することができる。あるいは、メール作成のタスクにおいて宛名のスロットに入力される情報を抽出するため、「へ」又は「に」という助詞の直前に現れる名詞を宛名として抽出することができる。この方法により、例えば「田中にメール」という文章（発話内容）から「田中」を宛名のスロットに入力される情報として抽出することができる。さらに、「へ」または「に」の直前に現れる「さん」を無視するというルールを加えれば「田中さんにメール」という文章（発話内容）からも「田中」を宛名のスロットに入力される情報として抽出することができる。このように、複数のルールを組み合わせることにより様々な発話パターンから情報抽出を行うことができる。
【００５１】
機械学習技術に基づく区間抽出とは、予め抽出すべき区間の始端と終端にマーカーをつけた例文を大量に準備し、未知の文に対して自動的に始端と終端のマーカーをつける学習モデルを構成する方法である。区間抽出に利用可能な機械学習技術として、例えば、ＣＲＦがよく知られている。学習モデルの構成は事前に行えばよく、区間抽出の実行時には得られた学習モデルのみがあればよい（学習モデルを抽出部１４に記憶させておく）。例えば、メール作成のタスクにおいて宛名のスロットに入力される情報を抽出するためには、予めメール作成のタスクにあたる文章を大量に用意し、本文に当たる単語群の始端と終端に人手でマーカーをつける。このマーカーつき文章を入力データとして用い、メール作成のタスクにおける宛名のスロット抽出用の学習モデルを構成し、構成された学習モデルを区間抽出の実行時に利用する。学習モデルの構成方法と利用方法は当業者にはよく知られている。
【００５２】
また、文法ルールに基づく方法としては、文法ルールを示す情報として文章の正規表現を記憶しておき、文章入力部１２から入力された文章から当該正規表現に合う部分を検出する方法を用いることもできる。なお、文法ルールを示す情報又は学習モデルは、カテゴリ毎に用意しておき、カテゴリに応じた文法ルール又は学習モデルを抽出に用いることとするのがよい。例えば、「本文」のカテゴリの情報を抽出する場合には「本文」のカテゴリの学習モデルを、「人名」のカテゴリの情報を抽出する場合には「人名」のカテゴリの文法ルール又は学習モデルをそれぞれ用いることとするのがよい。文法ルールを示す情報又は学習モデルは、予め機能実行指示システム１の管理者等によって機能実行指示サーバ１０に入力されて記憶されている。また、文法ルール又は学習モデルは、タスクに対応付いていてもよい。
【００５３】
上記のような区間検出による抽出方法は、語彙に影響されにくいが、文例に依存して誤りが生じる場合がある。以上が、抽出部１４がタスクに入力する情報を抽出するのに用いる２つの方法である。抽出部１４は、実行機能決定部１３から通知されたタスクのスロットのカテゴリに応じ、辞書に基づく方法と区間検出による方法とを切り替えて、あるいは組み合わせて用いることにより、情報を抽出する。
【００５４】
抽出部１４は、実行機能決定部１３から通知されたタスクのスロットのカテゴリが任意の情報（特定の属性に限られない情報）であるものを含むか否かを判断して、当該判断に応じた方法で情報を抽出することとしてもよい。上述したように「テキスト」のカテゴリは、任意の情報（文章、文字列）を入力しえるカテゴリであるので、具体的には、抽出部１４はタスクのスロットに、カテゴリが「テキスト」のものを含むか否かを判断することとすればよい。但し、カテゴリが任意の情報であるものは、必ずしも「テキスト」に限られず、入力される情報の内容に応じて限定されないものであればよい。
【００５５】
抽出部１４は、予め図２に示したようなタスクを示すタスク名、スロット、スロット型、サイズを対応付けた情報を記憶しており、その情報に基づいて上記の判断を行う。この情報は、予め機能実行指示システム１の管理者等によって機能実行指示サーバ１０に入力されて記憶されている。
【００５６】
例えば、実行機能決定部１３から通知されたタスクがメール作成のタスクであれば、抽出部１４はタスクのスロットに「テキスト」のカテゴリのものを含むと判断する。実行機能決定部１３から通知されたタスクがレシピ検索のタスクであれば、抽出部１４はタスクのスロットに「テキスト」のカテゴリのものを含まないと判断する。
【００５７】
抽出部１４は、実行機能決定部１３から通知されたタスクのスロットに「テキスト」のカテゴリを含むと判断した場合、以下のように情報の抽出を行ってもよい。抽出部１４は、まず、「テキスト」のカテゴリのスロットについては、区間検出による方法により情報を抽出する。例えば、メール作成のタスクであれば、「本文」のスロットに入力される情報を抽出する。「テキスト」のカテゴリのスロットについての情報を区間検出による方法で抽出できた場合には、文章入力部１２から入力された文章から抽出された情報を除いた残りの文章から、「テキスト」以外のカテゴリのスロットに入力される情報を抽出する。
【００５８】
例えば、メール作成のタスクであれば、抽出された「本文」の情報以外の文章（「本文」の外側に位置した区間）から、それ以外のスロット、即ち「人名」カテゴリの「宛名」のスロットの情報を抽出する。具体的には文章入力部１２から入力された文章が「田中さんに今日はありがとうとメール」というものであり、「本文」のスロットに入力される情報として「今日はありがとう」という部分が抽出されたら、「宛名」のスロットについては、抽出された部分を除いた「田中さんに」及び「とメール」という部分から抽出する。抽出部１４は、この抽出を辞書に基づく方法により行う。
【００５９】
「テキスト」のカテゴリのスロットについての情報を区間検出による方法で抽出できなかった場合には、文章入力部１２から入力された文章全体に対して「テキスト」以外のカテゴリのスロットに入力される情報を抽出する。抽出部１４は、この抽出を辞書に基づく方法により行う。なお、辞書に基づく方法により「テキスト」以外のカテゴリのスロットに入力される情報を抽出できなかった場合には、このスロットに入力される情報も区間検出による方法によって抽出することとしてもよい。
【００６０】
例えば、「スズキヤ建設に今日はありがとうとメール」という文章が入力された場合、「スズキヤ建設」が辞書に含まれない単語であった場合でも、区間検出により宛先として抽出することができる。
【００６１】
抽出部１４は、実行機能決定部１３から通知されたタスクのスロットに「テキスト」のカテゴリを含まないと判断した場合、まず、各スロットの情報について辞書に基づく方法により抽出してもよい。辞書に基づく方法によりスロットに入力される情報を抽出できなかった場合には、抽出部１４は、区間検出による方法によって当該スロットに入力される情報を抽出する。例えば、グルメ検索のタスクであれば、「キーワード」のスロットについて、まず辞書に基づく方法により情報を抽出する。もし、辞書に基づく方法により情報を抽出できなかった場合には、区間検出による方法によって当該スロットに入力される情報を抽出する。
【００６２】
スロットの何れかに複数のカテゴリが対応付けられていた場合には、そのカテゴリについては更に以下のような方法で抽出を行うこととしてもよい。その場合、予め複数のカテゴリに順序（優先度）を対応付けておく。例えば、図２の「キーワード」のスロットには、「料理名」と「調理方法」という２つのカテゴリが対応付いている。例えば、「料理名」は１番目、「調理方法」は２番目という順序が対応付いている。この対応付けは、例えば、スロットに入力される情報としてより適切なものほど順序が先になるようにされる。上記の順序付けは、レシピ検索のタスクでは、「調理方法」のカテゴリの入力に比べて「料理名」のカテゴリの入力を行った方がよりユーザが望む結果が得られる可能性が高いことによる。この対応付けは、予め機能実行指示システム１の管理者等によって機能実行指示サーバ１０に入力されて記憶されている。また、この順序は、タスクやスロットに関係なく一律のものとされていてもよいし、タスクやスロット毎に対応付けられていてもよい。
【００６３】
抽出部１４は、上記の順序を示す情報を取得し、上記の抽出を順序が先のカテゴリから行う。抽出部１４は、情報の抽出ができた時点で抽出を止めることとしてもよい。即ち、抽出部１４は、まず最先の順序のカテゴリについて、辞書に基づく方法により情報の抽出を行う。この方法により情報の抽出ができなかった場合には、当該最先の順序のカテゴリについて、区間検出による方法により情報の抽出を行う。この方法により情報の抽出ができなかった場合には、このカテゴリでは抽出ができなかったものとして、次の順序のカテゴリについて、辞書に基づく方法により情報の抽出を行う。このように順次、カテゴリ毎に辞書に基づく方法、区間検出による方法の順で情報が抽出できるまで抽出を行う。
【００６４】
具体的には、グルメ検索のタスクであり、「キーワード」のスロットに入力される情報を抽出する場合、以下のような処理となる。「キーワード」のスロットには、１番名のカテゴリとして「料理名」、２番名のカテゴリとして「調理方法」が対応付けられている。文章入力部１２から入力された文章が「エビフライの揚げ方」というものであり、「料理名」の属性辞書に「エビフライ」という単語が含まれていた場合には、辞書に基づく方法によりスロットに入力される情報として「エビフライ」を抽出する。
【００６５】
文章入力部１２から入力された文章が「ザンギの揚げ方」というものであり、「料理名」の属性辞書に「ザンギ」という単語が含まれていない場合には、辞書に基づく方法ではスロットに入力される情報を抽出できない。続いて、「料理名」のカテゴリについて区間検出による方法により抽出が試みられる。「〜の揚げ方」という表現によって料理名を抽出できる文法ルール又は学習モデルがある場合には、区間検出による方法によりスロットに入力される情報として「ザンギ」を抽出する。
【００６６】
文章入力部１２から入力された文章が「揚げ物をしたい」というものである場合には、「料理名」の辞書に基づく方法及び区間検出による方法の何れでもスロットに入力される情報は抽出できない。続いて、２番目のカテゴリ「調理方法」での抽出を行う。「調理方法」の属性辞書に「揚げ物」という単語が含まれていた場合には、辞書に基づく方法によりスロットに入力される情報として「揚げ物」を抽出する。
【００６７】
抽出部１４は、抽出した情報をスロット毎に実行機能決定部１３に出力する。以上が、本実施形態に係る機能実行指示システム１の機能構成である。
【００６８】
図３に本実施形態に係る機能実行指示サーバ１０及び音声認識サーバ２０を構成するサーバ装置のハードウェア構成を示す。図３に示すように当該サーバ装置は、ＣＰＵ（Central Processing Unit）１０１、主記憶装置であるＲＡＭ（RandomAccess Memory）１０２及びＲＯＭ（Read Only Memory）１０３、通信を行うための通信モジュール１０４、並びにハードディスク等の補助記憶装置１０５等のハードウェアを備えるコンピュータを含むものとして構成される。これらの構成要素がプログラム等により動作することにより、上述した機能実行指示サーバ１０及び音声認識サーバ２０の機能が発揮される。以上が、本実施形態に係る機能実行指示システム１の構成である。
【００６９】
引き続いて、図４のフローチャートを用いて、本実施形態に係る機能実行指示システム１で実行される処理である機能実行指示方法を説明する。本処理では、まず、本実施形態に係る機能実行指示システム１による機能実行の指示を受けるための通信端末３０に対するユーザの操作が行われて、通信端末３０に、機能を実行させるためのユーザの音声（発話）が入力される。続いて、当該音声が通信端末３０から音声認識サーバ２０に送信される。音声認識サーバ２０では、当該音声が受信されて入力される（Ｓ０１、音声認識ステップ）。続いて、音声認識サーバ２０では、入力された音声に対して音声認識が行われる（Ｓ０２、音声認識ステップ）。音声認識結果である文章を示す情報が音声認識サーバ２０から通信端末３０に送信される。通信端末３０では、その情報が受信されて、機能実行指示サーバ１０に送信される。
【００７０】
機能実行指示サーバ１０では、文章入力部１２によって、音声認識結果である文章を示す情報が受信されて入力される（Ｓ０３、文章入力ステップ）。入力された情報は、文章入力部１２から実行機能決定部１３及び抽出部１４に出力される。続いて、実行機能決定部１３によって、実行が指示されるタスクが決定される（Ｓ０４、実行機能決定ステップ）。決定されたタスクが、実行機能決定部１３から抽出部１４に通知される。
【００７１】
続いて、抽出部１４によって、通知されたタスクのスロットにカテゴリが「テキスト」のものを含むか否かが判断される（Ｓ０５、抽出ステップ）。タスクのスロットに「テキスト」のカテゴリを含むと判断された場合、続いて、抽出部１４によって、「テキスト」のカテゴリのスロットについて、文章入力部１２から入力された文章から、区間検出による方法によってスロットに入力される情報が抽出される（Ｓ０６、抽出ステップ）。続いて、「テキスト」以外のカテゴリのスロットが存在する場合には、「テキスト」のカテゴリのスロットに入力される情報が除かれた文章から、辞書に基づく方法によってスロットに入力される情報が抽出される（Ｓ０７、抽出ステップ）。抽出された情報はスロット毎に抽出部１４から実行機能決定部１３に出力される。
【００７２】
Ｓ０５において、タスクのスロットに「テキスト」のカテゴリを含まないと判断された場合、各スロットの情報について、まず、文章入力部１２から入力された文章から、辞書に基づく方法によってスロットに入力される情報が抽出される（Ｓ０８、抽出ステップ）。もし、辞書に基づく方法によって情報を抽出できなかった場合には、区間検出による方法によって当該スロットに入力される情報が抽出される（Ｓ０９、抽出ステップ）。上記の抽出は順序が先のカテゴリから行われる。
【００７３】
もし、上記の抽出処理（Ｓ０８及びＳ０９）においてスロットに入力される情報を抽出できず、かつ、順序が後のカテゴリが残っていた場合（Ｓ１０のＹＥＳ）には、当該順序が後のカテゴリについて、上記の抽出処理（Ｓ０８及びＳ０９）を繰り返す。全てのスロットに入力される情報が抽出できた場合（Ｓ１０のＮＯ）には、抽出された情報はスロット毎に抽出部１４から実行機能決定部１３に出力される。上記の繰り返しを全ての順序について行っても、何れかのスロットに入力される情報が抽出できなかった場合（Ｓ１０のＮＯ）にはそのスロットに関しての情報は実行機能決定部１３に出力されない（そのスロットに関しては入力される情報が抽出できなかった旨が出力される）。
【００７４】
抽出部１４から決定したタスクのスロットに入力する情報が入力されると（Ｓ７又はＳ１０の後）、実行機能決定部１３から機能実行指示部１１に対して、決定したタスクが通知される。また、抽出部１４から入力された情報が、実行が指示されるタスクのスロットへの入力となる情報として、実行機能決定部１３から機能実行指示部１１に対して合わせて通知される。
【００７５】
ユーザの発話例（機能実行指示サーバ１０に入力される文章の例）と、その発話例に基づいて実行が指示されるものと判断されるタスク、及びそのタスクのスロットに入力される情報として抽出されるものの例について示す。ユーザの発話が「山田さんにメール、いま忙しい」というものであった場合、実行が指示されるものと判断されるタスクはメール送信であり、「テキスト」カテゴリの「本文（Ｂｏｄｙ）」スロットに入力される情報は「いま忙しい」であり、「人名」カテゴリの「宛先（Ｔｏ）」スロットに入力される情報は「山田」となる。
【００７６】
ユーザの発話が「キャベツと鶏肉をつかったレシピ」というものであった場合、実行が指示されるものと判断されるタスクはレシピ検索であり、「食材」カテゴリの「キーワード（ＫＷ）」スロットに入力される情報は「キャベツ」及び「鶏肉」である。ユーザの発話が「渋谷の近くでおいしい焼き鳥」というものであった場合、実行が指示されるものと判断されるタスクはレストラン検索であり、「地名」カテゴリの「キーワード（ＫＷ）」スロットに入力される情報は「渋谷」である。この場合、「キーワード」スロットに入力しえる情報として、「ジャンル」カテゴリの「焼き鳥」もあるが、上記の順序の関係で「焼き鳥」という情報は抽出されない。
【００７７】
なお、スロットによっては、複数の情報の入力を許容するものもあり、その場合は、上述するＳ１０の判断を行わず、必ず全ての順序のカテゴリについてＳ０８及びＳ０９の抽出処理を行うこととしてもよい。この場合、上述のように、ユーザの発話が「渋谷の近くでおいしい焼き鳥」というものであった場合、「キーワード（ＫＷ）」スロットに入力される情報として、「地名」カテゴリの情報である「渋谷」だけでなく、「ジャンル」カテゴリの「焼き鳥」も含めることができる。
【００７８】
続いて、通知を受けた機能実行指示部１１によって通信端末３０に対してタスクの実行が指示される（Ｓ１１、機能実行指示ステップ）。この指示にはタスクのスロットへの入力となる情報も含められる。なお、入力される情報が抽出できなかったスロットについてはその情報が含められない。通信端末３０では、この指示が受け付けられ、指示に係るタスクが実行される。この際、指示に含まれる情報が対応するスロットに入力されてタスクが実行される。以上が本実施形態に係る機能実行指示システム１で実行される処理である機能実行指示方法である。
【００７９】
上述したように本実施形態では、実行が指示されるタスクのスロットに入力される情報のカテゴリに応じた方法で当該情報が文章から抽出される。従って、本実施形態によれば文章に基づいてタスクを実行する際に、当該文章からタスクへの入力とする情報を適切に抽出してより適切にタスクを実行させることができる。
【００８０】
具体的には、タスクに、「テキスト」カテゴリ（例えば、上述したメール作成のタスクでは「本文」スロット）のような任意の情報を入力しえるカテゴリのスロットを含むか否かを判断して、その判断に応じた方法で情報を抽出することが望ましい。例えば「人名」「料理名」のような特定の単語（例えば、固有名詞）を入力しえるスロットと、「テキスト」カテゴリのような任意の情報を入力しえるカテゴリのスロットとは性質が異なる。特定の単語を入力しえるスロットについては、上述した区間検出による方法よりは辞書に基づく方法の方がより適切に情報を抽出できる傾向がある。一方で、「テキスト」カテゴリのような任意の情報を入力しえるカテゴリのスロットについては、辞書に基づく方法では適切に情報を抽出することが難しい。そもそも任意の情報を入力しえるカテゴリについての辞書を作成することが難しい。
【００８１】
そのため、より具体的には、「テキスト」カテゴリのスロットを含む場合には、文章から区間検出による方法によって情報を抽出して、それ以外のカテゴリについては上記のカテゴリの情報が抽出された後の残りの文章から辞書に基づく方法によって情報を抽出することとするのがよい。
【００８２】
また、「テキスト」カテゴリのスロットを含まない場合には、各スロットについて、まず文章から辞書に基づく方法によって情報を抽出して（抽出を試みて）、文章から辞書に基づく方法によって情報が抽出できない場合に区間検出による方法によって情報を抽出することとするのがよい。このように、「テキスト」カテゴリのスロットを含まない場合には、１つのスロットについて２段階で情報を抽出することによって辞書の語彙に限定されずに情報を抽出することができる。上記の構成によれば、タスクに入力される情報のカテゴリが任意の情報であるものを含むか否かに応じて適切に情報を抽出することができる。
【００８３】
また、上述した実施形態のようにスロットに対応付けられた複数のカテゴリに順序付けをしておき、その順序で情報を抽出してもよい。この構成によれば、そのスロットに入力する情報としてより望ましいカテゴリの情報から優先的に抽出されるので、タスクのスロットに対して複数のカテゴリの情報の入力が可能である場合に適切に情報を抽出することができる。
【００８４】
また、本実施形態のように音声を入力して音声認識を行って、音声認識結果を入力される単語を含む情報とすることとしてもよい。この構成によれば、ユーザの音声によって機能を実行することが可能となる。
【００８５】
但し、本実施形態においては、機能実行指示システム１において、音声認識サーバ２０を含むこととしていたが、必ずしも音声認識サーバ２０を含む必要はない。この場合、音声認識された結果、あるいは音声認識によらない単語群や文章が機能実行指示システム１に入力される。また、本実施形態では、機能実行指示サーバ１０と音声認識サーバ２０とが別体として構成されていたが、それらが一体として構成されていてもよい。この場合、音声認識結果を、通信端末３０を介して送受信する必要がない。また、通信端末３０等のユーザに用いられる端末に、機能実行指示サーバ１０あるいは音声認識サーバ２０の機能が備えられていてもよい。その場合、当該端末が本発明に係る機能実行指示システムとなる。あるいは、機能実行指示サーバ１０がタスクを実行する機能を有しており、タスクの実行結果を通信端末３０に提供する構成であってもよい。
【００８６】
引き続いて、上述した一連の機能実行指示サーバ１０による処理をコンピュータに実行させるための機能実行指示プログラムを説明する。図５に示すように、機能実行指示プログラム５０は、コンピュータに挿入されてアクセスされる、あるいはコンピュータが備える記録媒体４０に形成されたプログラム格納領域４１内に格納される。
【００８７】
機能実行指示プログラム５０は、機能実行指示モジュール５１と、文章入力モジュール５２と、実行機能決定モジュール５３と、抽出モジュール５４とを備えて構成される。機能実行指示モジュール５１と、文章入力モジュール５２と、実行機能決定モジュール５３と、抽出モジュール５４とを実行させることにより実現される機能は、上述した機能実行指示サーバ１０の機能実行指示モジュール５１と、文章入力モジュール５２と、実行機能決定モジュール５３と、抽出モジュール５４との機能とそれぞれ同様である。また、機能実行指示プログラム５０は、音声認識サーバ２０の機能に対応するモジュールを備えていてもよい。
【００８８】
なお、機能実行指示プログラム５０は、その一部若しくは全部が、通信回線等の伝送媒体を介して伝送され、他の機器により受信されて記録（インストールを含む）される構成としてもよい。また、機能実行指示プログラム５０の各モジュールは、１つのコンピュータでなく、複数のコンピュータのいずれかにインストールされてもよい。その場合、当該複数のコンピュータによるコンピュータシステムよって上述した一連の機能実行指示プログラム５０の処理が行われる。
【符号の説明】
【００８９】
１…機能実行指示システム、１０…機能実行指示サーバ、１１…機能実行指示部、１２…文章入力部、１３…実行機能決定部、１４…抽出部、２０…音声認識サーバ、１０１…ＣＰＵ、１０２…ＲＡＭ、１０３…ＲＯＭ、１０４…通信モジュール、１０５…補助記憶装置、３０…通信端末、４０…記録媒体、４１…プログラム格納領域、５０…機能実行指示プログラム、５１…機能実行指示モジュール、５２…文章入力モジュール、５３…実行機能決定モジュール、５４…抽出モジュール。
【図１】
2014102280.tif 000003
【図２】
2014102280.tif 000004
【図３】
2014102280.tif 000005
【図４】
2014102280.tif 000006
【図５】
2014102280.tif 000007